(57)【要約】  本発明は、手動式セラミックカッターにおけるバイトホルダガイドシステムに関する。本ガイドシステムは、それ自体の作動のためのハンドル（１１）を含み、セラミック部品に切り目を入れるための切断工具（１２）を担持するバイトホルダ（１）の長手方向の移動のための平行ガイド（２）を備える。ガイド（２）は、好ましくはアルミニウムで構成された外形によって形成され、各ガイド（２）は、長手方向に配設され、バイトホルダ（１）の側面に配設された軸受キャリッジ（３）のためのレースを形成する、上部および下部鋼ロッド（２１、２２）を含む。各軸受キャリッジ（３）は、同じ高さに配設された２つの端部軸受（３１、３２）と、２つの端部軸受よりも低い高さに配設された少なくとも１つの中間軸受（３３）とを含む。
2018508386.tif 000002
【特許請求の範囲】
【請求項１】
バイトホルダ（１）の作動のためのハンドル（１１）を含み、セラミック部品に切り目を入れるための切断工具（１２）を担持する前記バイトホルダ（１）の長手方向の移動のための平行ガイド（２）を備える、手動式セラミックカッターにおけるバイトホルダガイドシステムであって、
前記ガイド（２）は、好ましくはアルミニウムで構成された外形によって形成され、各ガイド（２）は、長手方向に配設され、前記バイトホルダ（１）の側面に配設された軸受キャリッジ（３）のためのレースを形成する上部および下部鋼ロッド（２１、２２）を含み、各軸受キャリッジ（３）は、同じ高さに配設され、同じ側面に対応するガイド（２）の上部鋼ロッド（２１）と接触する２つの端部軸受（３１、３２）と、前記２つの端部軸受よりも低い高さに配設され、前記対応するガイド（２）の下部鋼ロッド（２２）と接触する少なくとも１つの中間軸受（３３）とを含むことを特徴とする、バイトホルダガイドシステム。
【請求項２】
前記ガイド（２）を形成する前記外形は全体として「Ｃ」形状を有しており、前記鋼ロッド（２１、２２）は前記外形（２）によって画定される翼間に配設されていることを特徴とする、請求項１に記載のガイドシステム。
【請求項３】
前記ガイド（２）は屈曲に対する抵抗を増大させた鋼バー（２３）を組み込んでいることを特徴とする、請求項１または２に記載のガイドシステム。
【発明の詳細な説明】
【技術分野】
【０００１】
発明の目的
本発明の目的は、手動式セラミックカッターにおけるバイトホルダガイドシステムである。このバイトホルダガイドシステムは、バイトホルダを徐々に移動させ、かつ、特にセラミック部品の切断および分離操作中におけるガイドの屈曲に対する抵抗を増すように意図された特徴を有する。
【０００２】
発明の応用分野
本発明は、手動式セラミックカッターに応用可能である。
【背景技術】
【０００３】
従来技術
現在、切断されるべきセラミック部品を支持するための表面と、互いに、およびバイトホルダの長手方向の移動のための、セラミック部品の上述の支持面に平行なガイドとを有する手動式セラミックカッターが、市場で知られている。このバイトホルダは、その作動のためのハンドルを含み、一般に、切断工具および切断工具によって切り目を入れられたセラミック部品のための分離工具を搭載している。
【０００４】
現在、バイトホルダをガイドするために２つの平行な円筒バーを使用することが知られており、該バイトホルダは、このガイドバーの対を貫通させて搭載するための円筒穴を有している。しかしながら、セラミック部品を切断する、またはそれに切り目を入れる操作およびセラミック部品を分離する操作中にバイトホルダに加えられる力によって、ガイドが屈曲し、切断における精度の低下につながる。
【０００５】
このような屈曲を防ぐように意図された解決策が、本発明と同じ所有者の実用新案ＥＳ１０７１９０６Ｕに記載されている。上述のガイドシステムに加えて、ガイドバーをバイトホルダヘッドにおいて画定された縦穴内を通過させるカッターが、ヘッドにおいて横方向の延在部を備えており、これらの延在部の端部は、連結されて、カッターの基部の端部支持部に固定された第１の非屈曲ガイドにおいて長手方向に移動可能である。
【０００６】
この解決策はガイドバーの屈曲を防止するという点では効果的だが、そのうちの１つがガイドバーによって形成され、他方が屈曲していないバーによって形成された２つの平行なガイドシステムを実際に備えるため、構造をより複雑にし、バイトホルダヘッドの移動における摩擦の増加ももたらす。
【０００７】
本発明の所有者は、バイトホルダの移動ガイドの屈曲および該構成要素間の摩擦の減少に関して生じる問題を解決する先行技術の存在を、認識していない。
【発明の概要】
【課題を解決するための手段】
【０００８】
発明の説明
本発明の目的である、手動式セラミックカッターにおけるバイトホルダガイドシステムは、セラミック部品の切断およびそれに続く分離中に大きな力が作動ハンドルによってバイトホルダに加えられることを考慮して、上述の問題を解決するように、かつ、移動における安全性を改善し、ガイドの変形を防止するように意図された特徴を有する。
【０００９】
本発明によると、ガイドは、好ましくはアルミニウムで構成され、「Ｃ」形状を有する外形によって形成される。各ガイドは、バイトホルダの側面に配設された軸受キャリッジのためのレースを形成する上部および下部鋼ロッドを含む。
【００１０】
上述の鋼ロッドによって、軸受とガイドとの間の接触が基本的に定期的に発生し、その結果、摩擦が減少することによってバイトホルダの移動がより正確になる。
【００１１】
本発明の一実施形態では、ガイドを形成するアルミニウムの外形は、ガイド、特に大きな手動式カッターにおけるガイドを補強してその屈曲を防止するように意図された鋼ロッドが収容される長手方向の空洞を有する。
【００１２】
本発明の一実施形態では、バイトホルダの両側面に配設された各軸受キャリッジは３つの軸受、すなわち、２つの端部軸受および１つの中間軸受を備える。端部軸受がガイドにおける上部位置の鋼ロッドと接触するように、かつ、中間軸受がガイドにおける下部位置の鋼ロッドと接触するように、端部軸受は同じ高さで位置合わせされており、中間軸受はそれよりわずかに低い高さで配設されている。この軸受システムは、バイトホルダがガイドに搭載されると起こり得る事象を防止する。
【００１３】
加えて、切断されたセラミック部品を次に分離するために力が加えられた場合に、軸受キャリッジの配置によって、バイトホルダの移動を防止する。
【００１４】
ここでなされる説明を補完し、本発明の特徴をより容易に理解するための手助けとして、本明細書には一連の図面が添えられているが、それらは例示であり、発明を限定するものではない。
【００１５】
図面の説明
【図面の簡単な説明】
【００１６】
【図１】本発明に係る手動式セラミックカッターにおけるバイトホルダガイドシステムの例示的な実施形態の部分斜視断面図である。
【図２】図１のガイドシステムの立面図である。
【発明を実施するための形態】
【００１７】
発明の好ましい実施形態
添付された図面に示される実施形態では、バイトホルダ（１）は作動ハンドル（１１）を有し、セラミック切断機ではよくあるように、切断工具（１２）と、切断工具で既に切り目を入れられたセラミック部品のための分離装置（１３）とを搭載する。
【００１８】
バイトホルダガイドシステム（１）は、概Ｃ形状のアルミニウムの外形で形成され、互いに対向するように配設された２つの平行ガイド（２）を備え、これらのガイド（２）の各々は、長手方向に配設されて前述の外形（２）によって画定された翼間に位置する上部および下部鋼ロッド（２１、２２）の対を含む。これらの鋼ロッド（２１、２２）は、バイトホルダ（１）の側面に搭載された軸受キャリッジ（３）のためのレースを形成する。
【００１９】
図１に示すように、各軸受キャリッジ（３）は、同じ高さで配設されて同じ側面に対応するガイド（２）の上部鋼ロッド（２１）と接触する２つの端部軸受（３１、３２）と、これらの軸受よりも低い高さに配設されて対応するガイド（２）の下部鋼ロッド（２２）と接触する中間軸受（３３）とを備える。
【００２０】
添付の図面に示された例示的な実施形態では、特に大きなカッターにおいてガイドの屈曲に対する抵抗を増大させるために、ガイド（２）を形成するアルミニウムの外形はその内部に鋼バー（２３）を組み込んでいる。
【００２１】
好ましい実施形態例に加えて本発明の特徴について十分な説明を行なったが、以下で請求される発明の重要な特徴を変更することを示唆しないという条件で、関連した目的のために、説明された構成要素の材料、形状、サイズ、および配置を変更可能であるということが示されている。
【図１】
2018508386.tif 000003
【図２】
2018508386.tif 000004
【国際調査報告】
2018508386.tif 000005
2018508386.tif 000006
2018508386.tif 000007
2018508386.tif 000008
2018508386.tif 000009
2018508386.tif 000010